(57)【要約】【課題】連続撮影によって記録された画像ファイルを再生する際に、目的のタイミングで撮影された画像ファイル以外の冗長な画像ファイルが再生されることなく確実に隠蔽することができるファイル記録方法、ファイル再生方法、撮像装置、および再生装置を提供する。【解決手段】カメラファイルシステム規格に基づいて画像ファイルを記録する撮像装置におけるファイル記録方法であって、撮像装置における１回の撮影操作で連続した複数回の撮影を行い、該複数回の撮影によって得られた連続した複数の画像ファイルを記録する際に、該連続した複数の画像ファイルの全てのＤＣＦファイル名のファイル番号領域に、同一のファイル番号を付与するファイル番号付与ステップ、を含む。【選択図】図６
2012235349.tif 000002
【特許請求の範囲】
【請求項１】
カメラファイルシステム規格に基づいて画像ファイルを記録する撮像装置におけるファイル記録方法であって、
撮像装置における１回の撮影操作で連続した複数回の撮影を行い、該複数回の撮影によって得られた連続した複数の画像ファイルを記録する際に、該連続した複数の画像ファイルの全てのＤＣＦファイル名のファイル番号領域に、同一のファイル番号を付与するファイル番号付与ステップ、
を含む、
ことを特徴とするファイル記録方法。
【請求項２】
該ファイル記録方法は、さらに、
前記連続した複数の画像ファイルの内、いずれか１つの画像ファイルのみに、画像として有効な拡張子を付与し、該画像として有効な拡張子を付与した画像ファイル以外の全ての画像ファイルに、画像として無効な拡張子を付与する拡張子付与ステップ、
を含む、
ことを特徴とする請求項１に記載のファイル記録方法。
【請求項３】
該ファイル記録方法は、さらに、
前記連続した複数の画像ファイルのそれぞれのＤＣＦファイル名の自由文字領域に、前記撮像装置による撮影順番を表す情報を付与する撮影順付与ステップ、
を含む、
ことを特徴とする請求項２に記載のファイル記録方法。
【請求項４】
カメラファイルシステム規格に基づいて画像ファイルを記録する撮像装置によって記録された画像ファイルを再生する再生装置におけるファイル再生方法であって、
撮像装置が１回の撮影操作で連続した複数回の撮影を行い、該複数回の撮影によって得られた連続した複数の画像ファイルを記録する際に、該連続した複数の画像ファイルの全てのＤＣＦファイル名のファイル番号領域に、同一のファイル番号が付与された同一のＤＣＦオブジェクト内の全ての画像ファイルの内、いずれか１つの画像ファイルのみに付与されている画像として有効な拡張子を、画像として無効な拡張子に変更し、該画像として無効な拡張子に変更した画像ファイル以外の、いずれか１つの画像ファイルに付与されている画像として無効な拡張子を、画像として有効な拡張子に変更する拡張子変更ステップ、
を含む、
ことを特徴とするファイル再生方法。
【請求項５】
カメラファイルシステム規格に基づいて画像ファイルを記録する撮像装置であって、
１回の撮影操作で連続した複数回の撮影を行い、該複数回の撮影によって得られた連続した複数の画像ファイルを記録する際に、該連続した複数の画像ファイルの全てのＤＣＦファイル名のファイル番号領域に、同一のファイル番号を付与するファイル番号付与部、
を備える、
ことを特徴とする撮像装置。
【請求項６】
カメラファイルシステム規格に基づいて画像ファイルを記録する撮像装置によって記録された画像ファイルを再生する再生装置であって、
撮像装置が１回の撮影操作で連続した複数回の撮影を行い、該複数回の撮影によって得られた連続した複数の画像ファイルを記録する際に、該連続した複数の画像ファイルの全てのＤＣＦファイル名のファイル番号領域に、同一のファイル番号が付与された同一のＤＣＦオブジェクト内の全ての画像ファイルの内、いずれか１つの画像ファイルのみに付与されている画像として有効な拡張子を、画像として無効な拡張子に変更し、該画像として無効な拡張子に変更した画像ファイル以外の、いずれか１つの画像ファイルに付与されている画像として無効な拡張子を、画像として有効な拡張子に変更する拡張子変更部、
を備える、
ことを特徴とする再生装置。
【発明の詳細な説明】
【技術分野】
【０００１】
本発明は、画像ファイルを撮影記録または再生する装置におけるファイル管理方法、特に、ファイル記録方法およびファイル再生方法に関する。
【背景技術】
【０００２】
電子カメラ（以下、「デジタルカメラ」という）においては、ＪＥＩＤＡ（Ｊａｐａｎｅｓｅ  Ｅｌｅｃｔｒｏｎｉｃ  Ｉｎｄｕｓｔｒｙ  Ｄｅｖｅｌｏｐｍｅｎｔ  Ａｓｓｏｃｉａｔｉｏｎ：日本電子工業振興協会）によって、各記録機器と各再生機器との間において画像ファイルの互換性を確保するためのカメラファイルシステム規格（以下、「ＤＣＦ規格」という）が定められている（非特許文献１参照）。デジタルカメラは、このＤＣＦ規格に従って画像ファイルを記録する。
【０００３】
ＤＣＦ規格では、関連するファイル群をＤＣＦオブジェクトと呼んでいる。なお、１撮影（＝１ショット）の単独の画像ファイルのみでも、１つのＤＣＦオブジェクトである。この１撮影の画像ファイルは、一般的に１コマともいわれている。そして、各画像ファイルには、ＤＣＦ規格に従ったファイル名であるＤＣＦファイル名が与えられている。それぞれのＤＣＦオブジェクトには、ＤＣＦファイル名内に固有のファイル番号が付与され、このファイル番号によって、それぞれのＤＣＦオブジェクトを識別している。
ファイル番号は、数字列として画像ファイルのＤＣＦファイル名の一部に含まれ、デジタルカメラによって撮影する毎に、＋１ずつ増加していくのが一般的である。
【０００４】
デジタルカメラの中には、連続して画像を記録する、いわゆる連写機能を備えているものがある。連写機能を備えたデジタルカメラでは、１回のシャッタ操作によって、複数の画像ファイルを記録する。そして、１回のシャッタ操作に応じて記録する複数の画像ファイルの１つ１つに対して、別々のファイル番号（例えば、撮影順に＋１ずつ増加したファイル番号）が付与される。このため、従来のデジタルカメラで連写を行なった場合には、複数のファイル番号が使われる。
また、連写機能によって記録された複数の画像ファイルを、ＤＣＦ規格に従った装置で再生すると、連写された各コマが並んで表示される。また、ＤＣＦ規格に従った、例えば、デジタルフォトフレームなどの再生装置で再生すると、連写された各コマが順次表示される。
【０００５】
デジタルカメラにおける連写機能は、シャッタチャンスを逃さないようにするために有効である。また、連写機能は、１ショットを撮影する場合において、シャッタ操作の前後のタイミングを含めて撮影し、後にベストショットを選び出すことにも利用することができる。このような撮影機能を搭載したデジタルカメラが、既に商品化されている。
【０００６】
また、昨今、デジタルカメラで撮影した画像ファイルを記録する記録メディアの記録容量増加や、記録速度の向上も著しい。また、デジタルカメラに搭載する撮像素子の動作速度も向上してきている。これにより、近年のデジタルカメラでは、短時間により多くの画像ファイルを記録する、高速連写が可能になってきた。デジタルカメラにおける高速連写を活用することにより、よりシャッタチャンスを逃しにくくなる。そして、少ない撮影操作で、非常に多くの画像ファイルを、記録メディアに記録することができる。
【０００７】
しかし、非常に多くの画像ファイルを撮影することができるということは、目的のタイミングで撮影された画像ファイル以外の画像ファイル（以下、「冗長画像ファイル」という）も大量に記録されてしまうことにもなる。この冗長画像ファイルは、後に役立つ可能性もあるため、記録メディア内に記録したまま残しておくことも有益である。
【０００８】
従来のＤＣＦ規格に従った記録方法では、目的の画像ファイルおよび冗長画像ファイルのそれぞれに対して、異なるファイル番号が付与され、複数のコマとして扱われる。このため、ＤＣＦ規格に従った再生方法では、連続撮影された大量の画像が順次に表示されることになる。そして、再生された冗長画像ファイル以外を再生させる、すなわち、連続する同様の画角の画像の再生を中止して異なる画角の画像を再生させるためには、再生された画像を確認するユーザに対して煩雑な操作を要求することになりかねない。また、ＤＣＦ規格に従って既に出荷された再生装置に対して、再生処理の内容を変更することは、例外を除いて不可能である。そのため、冗長画像ファイルを削除せずに隠蔽することが望ましい。
【０００９】
冗長画像ファイルを削除せずに隠蔽する方法として、例えば、特許文献１に示すような、画像ファイルに「隠し属性」を付加する技術が提案されている。この「隠し属性」は、ＭＳ−ＤＯＳ（登録商標）におけるファイル属性であり、周知である。また、例えば、特許文献１に示すように、隠蔽する冗長画像ファイルを、正規のＤＣＦディレクトリと異なる別のディレクトリに格納する技術も提案されている。
【先行技術文献】
【特許文献】
【００１０】
【特許文献１】特開２００４−３２０６３号公報
【特許文献２】特開２００３−１３４４３４号公報
【非特許文献】
【００１１】
【非特許文献１】“カメラファイルシステム規格（Ｄｅｓｉｇｎ  ｒｕｌｅ  ｆｏｒ  Ｃａｍｅｒａ  Ｆｉｌｅ  ｓｙｓｔｅｍ）ＤＣＦ  Ｖｅｒｓｉｏｎ  １．０”，ＪＥＩＤＡ−４９−２−１９９８，日本語版，平成１０年１２月制定，財団法人  日本電子工業振興協会
【発明の概要】
【発明が解決しようとする課題】
【００１２】
しかしながら、ＤＣＦ規格では、「隠し属性」の扱いが任意となっている部分があるため、特許文献１で開示された技術では、確実に冗長画像ファイルを隠蔽することができない。すなわち、ＤＣＦ規格に従った装置において、「隠し属性」を隠蔽する冗長画像ファイルであると規定していない場合には、冗長画像ファイルを隠蔽することができないという問題がある。
【００１３】
また、特許文献２で開示された技術では、確実に冗長画像ファイルを隠蔽することができるが、冗長画像ファイルをＤＣＦディレクトリと異なる別のディレクトリに格納するため、撮影された画像ファイルの連続性の情報も失われてしまうという問題がある。
【００１４】
本発明は、上記の課題認識に基づいてなされたものであり、連続撮影によって記録された画像ファイルを再生する際に、目的のタイミングで撮影された画像ファイル以外の冗長な画像ファイルが再生されることなく確実に隠蔽することができるファイル記録方法、ファイル再生方法、撮像装置、および再生装置を提供することを目的としている。
【課題を解決するための手段】
【００１５】
上記の課題を解決するため、本発明のファイル記録方法は、カメラファイルシステム規格に基づいて画像ファイルを記録する撮像装置におけるファイル記録方法であって、撮像装置における１回の撮影操作で連続した複数回の撮影を行い、該複数回の撮影によって得られた連続した複数の画像ファイルを記録する際に、該連続した複数の画像ファイルの全てのＤＣＦファイル名のファイル番号領域に、同一のファイル番号を付与するファイル番号付与ステップ、を含む、ことを特徴とする。
【００１６】
また、本発明のファイル記録方法は、さらに、前記連続した複数の画像ファイルの内、いずれか１つの画像ファイルのみに、画像として有効な拡張子を付与し、該画像として有効な拡張子を付与した画像ファイル以外の全ての画像ファイルに、画像として無効な拡張子を付与する拡張子付与ステップ、を含む、ことを特徴とする。
【００１７】
また、本発明のファイル記録方法は、さらに、前記連続した複数の画像ファイルのそれぞれのＤＣＦファイル名の自由文字領域に、前記撮像装置による撮影順番を表す情報を付与する撮影順付与ステップ、を含む、ことを特徴とする。
【００１８】
また、本発明のファイル再生方法は、カメラファイルシステム規格に基づいて画像ファイルを記録する撮像装置によって記録された画像ファイルを再生する再生装置におけるファイル再生方法であって、撮像装置が１回の撮影操作で連続した複数回の撮影を行い、該複数回の撮影によって得られた連続した複数の画像ファイルを記録する際に、該連続した複数の画像ファイルの全てのＤＣＦファイル名のファイル番号領域に、同一のファイル番号が付与された同一のＤＣＦオブジェクト内の全ての画像ファイルの内、いずれか１つの画像ファイルのみに付与されている画像として有効な拡張子を、画像として無効な拡張子に変更し、該画像として無効な拡張子に変更した画像ファイル以外の、いずれか１つの画像ファイルに付与されている画像として無効な拡張子を、画像として有効な拡張子に変更する拡張子変更ステップ、を含む、ことを特徴とする。
【００１９】
また、本発明の撮像装置は、カメラファイルシステム規格に基づいて画像ファイルを記録する撮像装置であって、１回の撮影操作で連続した複数回の撮影を行い、該複数回の撮影によって得られた連続した複数の画像ファイルを記録する際に、該連続した複数の画像ファイルの全てのＤＣＦファイル名のファイル番号領域に、同一のファイル番号を付与するファイル番号付与部、を備える、ことを特徴とする。
【００２０】
また、本発明の再生装置は、カメラファイルシステム規格に基づいて画像ファイルを記録する撮像装置によって記録された画像ファイルを再生する再生装置であって、撮像装置が１回の撮影操作で連続した複数回の撮影を行い、該複数回の撮影によって得られた連続した複数の画像ファイルを記録する際に、該連続した複数の画像ファイルの全てのＤＣＦファイル名のファイル番号領域に、同一のファイル番号が付与された同一のＤＣＦオブジェクト内の全ての画像ファイルの内、いずれか１つの画像ファイルのみに付与されている画像として有効な拡張子を、画像として無効な拡張子に変更し、該画像として無効な拡張子に変更した画像ファイル以外の、いずれか１つの画像ファイルに付与されている画像として無効な拡張子を、画像として有効な拡張子に変更する拡張子変更部、を備える、ことを特徴とする。
【発明の効果】
【００２１】
本発明によれば、連続撮影によって記録された画像ファイルを再生する際に、目的のタイミングで撮影された画像ファイル以外の冗長な画像ファイルが再生されることなく確実に隠蔽することができるという効果が得られる。
【図面の簡単な説明】
【００２２】
【図１】本発明の第１の実施形態によるデジタルカメラの概略構成を示したブロック図である。
【図２】本第１の実施形態のデジタルカメラにおいて記録する画像ファイルのファイル名の規則を説明する図である。
【図３】本第１の実施形態のデジタルカメラにおける画像ファイル記録の一例を模式的に示した図である。
【図４】本第１の実施形態のデジタルカメラにおいて記録する連続した画像ファイルのファイル名の規則を説明する図である。
【図５】本第１の実施形態のデジタルカメラにおける連続した画像ファイル記録の一例を模式的に示した図である。
【図６】本第１の実施形態のデジタルカメラにおいて複数回の連続撮影で記録された画像ファイル構成の一例を模式的に示した図である。
【図７】本発明の第２の実施形態による再生装置の概略構成を示したブロック図である。
【図８】本第２の実施形態の再生装置における再生操作の一例を説明する図である。
【図９】本第２の実施形態の再生装置において再生する画像ファイルの一例を模式的に示した図である。
【図１０】本第２の実施形態の再生装置において１つの画像ファイル再生している状態の一例を模式的に示した図である。
【図１１】本第２の実施形態の再生装置において再生する画像ファイルを変更する場合の一例を模式的に示した図である。
【図１２】本第２の実施形態の再生装置において再生する画像ファイルを変更する場合の別の一例を模式的に示した図である。
【図１３】本第２の実施形態の再生装置において再生されている画像ファイルを有効な画像ファイルに変更する場合の一例を模式的に示した図である。
【図１４】本第２の実施形態の再生装置において変更された画像ファイルの構成の一例を模式的に示した図である。
【発明を実施するための形態】
【００２３】
＜第１の実施形態＞
以下、本発明の実施形態について、図面を参照して説明する。図１は、本第１の実施形態によるデジタルカメラの概略構成を示したブロック図である。図１において、デジタルカメラ１００は、撮像素子１と、画像処理回路２と、圧縮回路３と、メディアＩ／Ｆ（インターフェース）４と、記録メディア５と、ＣＰＵ６と、操作回路７と、表示パネル８とから構成される。なお、図１においては、記録メディア５もデジタルカメラ１００の構成要素としているが、記録メディア５は、デジタルカメラ１００に着脱可能な記録媒体である。
【００２４】
図１に示したデジタルカメラ１００では、レンズを介して入射した被写体光が撮像素子１に結像される。そして、撮像素子１に結像された被写体光に応じた画像信号が、画像処理回路２に入力される。画像処理回路２は、撮像素子１から入力された画像信号に対して、記録用の画像処理や、表示用の画像処理を行う。そして、記録用の画像処理を行った画像データを圧縮回路３に、表示用の画像処理を行った画像データを表示パネル８に出力する。
【００２５】
表示パネル８は、例えば、ＬＣＤ（Ｌｉｑｕｉｄ  Ｃｒｙｓｔａｌ  Ｄｉｓｐｌａｙ）などの表示装置を備え、画像処理回路２から入力された表示用の画像処理が行われた画像データを表示する。画像処理回路２が、撮像素子１が現在撮影している画像信号に対して表示用の画像処理を順次行って表示パネル８に出力することにより、表示パネル８に、撮像素子１が現在撮影している画像を表示することができる。
【００２６】
圧縮回路３は、画像処理回路２から入力された記録用の画像処理が行われた画像データを、記録するための画像フォーマット（例えば、ＪＰＥＧ：Ｊｏｉｎｔ  Ｐｈｏｔｏｇｒａｐｈｉｃ  Ｅｘｐｅｒｔｓ  Ｇｒｏｕｐ）の画像データに圧縮処理することによって、画像データのデータ量を削減する。そして、圧縮処理を行った画像データをメディアＩ／Ｆ４に出力する。
【００２７】
メディアＩ／Ｆ４は、圧縮回路３から入力された圧縮処理後の画像データを、画像ファイルとして記録メディア５に記録する。また、メディアＩ／Ｆ４は、画像ファイルを記録メディア５に記録する際に、後述する画像ファイルのファイル名の規則に従ったファイル名を、それぞれの画像ファイルに付与する。
【００２８】
ＣＰＵ６は、デジタルカメラ１００の構成要素、すなわち、デジタルカメラ１００全体を制御する。操作回路７は、デジタルカメラ１００のユーザによって操作されるボタンやスイッチ類などのユーザインタフェースである。操作回路７には、デジタルカメラ１００が撮影する撮影タイミングを得るためのシャッタボタンを備えている。
【００２９】
ここで、デジタルカメラ１００において画像ファイルを記録メディア５に格納する方法について説明する。デジタルカメラ１００は、ＤＣＦ規格に従って、画像ファイルを記録メディア５に格納する。ＤＣＦ規格では、画像ファイルを格納するディレクトリ（フォルダ）の名称や、画像ファイルの命名規則が定められている。ＤＣＦ規格では、撮影された写真の単位である「コマ」は、ＤＣＦオブジェクトと呼ばれる。このＤＣＦオブジェクトには、４桁の数値が昇順に付与される。このＤＣＦオブジェクトに付与された４桁の数値を、ファイル番号と呼ぶ。ファイル番号は、画像ファイルを記録する度に、＋１ずつ加算され、画像ファイルのＤＣＦファイル名に、数字列として付与される。
【００３０】
図２は、本第１の実施形態のデジタルカメラ１００において記録する画像ファイルのファイル名の規則を説明する図である。なお、図２に示した画像ファイルのファイル名の規則は、ＤＣＦ規格におけるＤＣＦファイル名の規則と同様である。以下の説明においては、記録する画像ファイルがＤＣＦオブジェクトであるものとして説明する。
【００３１】
ＤＣＦオブジェクトのＤＣＦファイル名は、合計１１文字で構成される。また、ＤＣＦファイル名は、主ファイル名の８文字（図２における「ａ」の範囲）と、拡張子の３文字（図２における「ｂ」の範囲）とから構成され、主ファイル名と拡張子とは、区切り文字（ドット：「．」）によって区切られている。
【００３２】
さらに、主ファイル名の８文字は、４文字ずつ２つに分けられており、図２において「ａ１」で示した１〜４桁は、ＤＣＦ規格においては任意の文字（自由文字）である。従って、ＤＣＦオブジェクトを記録する際には、自由な文字にすることができ、ＤＣＦオブジェクトを読み出す際には、この文字は無視される。また、図２において「ａ２」で示した５〜８桁は、上述したファイル番号の４桁の数値である。
【００３３】
また、図２において「ｂ」で示した拡張子は、３文字でファイルの種類を現している。一般的に、静止画像としては、“ＪＰＧ”，“ＴＩＦ”などで、画像ファイルであることを示している。なお、ＤＣＦ規格においては、“ＪＰＧ”の拡張子を持つ画像ファイルが基本の画像ファイルである。
【００３４】
デジタルカメラ１００で撮影した静止画像を記録メディア５に格納する場合、画像処理回路２が、デジタルカメラ１００のシャッタボタンの操作に応じて撮像素子１から入力された画像信号に対して記録用の画像処理を行う。そして、圧縮回路３が、記録用の画像処理が行われた画像データ（以下、「撮影画像」という）を圧縮処理し、メディアＩ／Ｆ４が、ＤＣＦオブジェクトとして記録メディア５に格納する。図３は、本第１の実施形態のデジタルカメラ１００における画像ファイル（ＤＣＦオブジェクト）記録の一例を模式的に示した図である。
【００３５】
図３に示したように、記録メディア５には、例えば、記録メディア５の最上位階層のルートディレクトリ（ディレクトリ名＝ＲＯＯＴ）５０の直下に、ＤＣＦ規格に従ったＤＣＦイメージルートディレクトリ（ディレクトリ名＝ＤＣＩＭ）５１が生成される。そして、ＤＣＦイメージルートディレクトリ５１の直下に、ＤＣＦオブジェクトを格納するためのＤＣＦディレクトリ（ディレクトリ名＝１００ＯＬＹＭＰ）５２が生成される。そして、圧縮回路３によって圧縮処理されたそれぞれの撮影画像に対応した画像ファイルは、それぞれＤＣＦファイル名が付与されて、ＤＣＦオブジェクトとしてＤＣＦディレクトリ５２内に格納される。
【００３６】
図３に示した画像ファイル記録の一例では、操作回路７に備えたシャッタボタン７０の押下に応じて撮影された撮影画像２１〜２８に対応した画像ファイル５３１〜５３８が、それぞれＤＣＦオブジェクトとして、ＤＣＦディレクトリ５２内に格納される場合を示している。このとき、それぞれの画像ファイル５３１〜５３８には、ＤＣＦ規格に基づいたＤＣＦファイル名が付与される。なお、図３に示した画像ファイル記録の一例では、任意の文字が“ＰＩＣＴ”、ファイル番号が撮影された順番を表す“０００１”〜“０００８”の数値、拡張子が“ＪＰＧ”のＤＣＦファイル名が付与されている場合を示している。
【００３７】
なお、従来のデジタルカメラにおける連写機能によって、シャッタボタン７０を押下する数コマ前の撮影画像（例えば、図３における撮影画像２１〜２３）と、シャッタボタン７０が押下されたときの撮影画像（例えば、図３における撮影画像２４）と、シャッタボタン７０が押下された後の数コマ後の撮影画像（例えば、図３における撮影画像２５〜２８）とに対応したそれぞれの画像ファイルを順次格納する場合も、同様のＤＣＦファイル名が付与される。
【００３８】
図３に示したようなＤＣＦファイル名が付与されたＤＣＦオブジェクトが記録メディア５に格納されている場合に、記録メディア５に格納されているＤＣＦオブジェクトを、ＤＣＦ規格に従って再生すると、全ての画像ファイル５３１〜５３８が、それぞれ別の画像ファイルとして再生され、例えば、表示パネル８に表示される。
【００３９】
しかし、画像ファイル５３１〜５３８が、連写機能によって撮影されたＤＣＦオブジェクトである場合には、シャッタボタン７０を押下する数コマ前のＤＣＦオブジェクト（例えば、図３における画像ファイル５３１〜５３３）と、シャッタボタン７０が押下された数コマ後のＤＣＦオブジェクト（例えば、図３における画像ファイル５３５〜５３８）とは、シャッタボタン７０が押下されたときのＤＣＦオブジェクト（例えば、図３における画像ファイル５３４）に対する冗長画像ファイルである。
【００４０】
デジタルカメラ１００では、連写機能によって、１回のシャッタボタン７０の押下の操作によって、例えば、図３における撮影画像２１〜２８と同数のＤＣＦオブジェクトを記録メディア５に記録することもできる。ただし、デジタルカメラ１００では、連写機能によって撮影した際に、ＤＣＦ規格から逸脱しない別のファイル名の規則に従って、それぞれの画像ファイルにファイル名を付与する。
【００４１】
図４は、本第１の実施形態のデジタルカメラ１００において記録する連続した画像ファイルのファイル名の規則を説明する図である。なお、図４に示した画像ファイルのファイル名の規則は、ＤＣＦ規格におけるＤＣＦファイル名の規則に従っている。
【００４２】
デジタルカメラ１００の連写機能によって撮影した場合も、ＤＣＦオブジェクトのＤＣＦファイル名は、合計１１文字で構成される。また、ＤＣＦファイル名は、図２に示したファイル名の規則と同様に、主ファイル名の８文字（図４における「ａ」の範囲）と、拡張子の３文字（図４における「ｂ」の範囲）とから構成され、主ファイル名と拡張子とは、区切り文字（ドット：「．」）によって区切られている。また、主ファイル名の８文字の構成、すなわち、図４における「ａ１」の範囲の任意の文字（自由文字）と、図４における「ａ２」の範囲のファイル番号の構成も同様である。
【００４３】
ただし、デジタルカメラ１００の連写機能によって撮影した場合には、「ａ２」の範囲のファイル番号として、同一のファイル番号を付与する。すなわち、連写機能によって連続して撮影された複数の画像ファイルは、ファイル名の５〜８桁目を同じ４桁の数値にする。これにより、これらの複数の画像ファイルは、ＤＣＦ規格に従って、同一のＤＣＦオブジェクト、すなわち、１つのコマとして扱われることになる。
【００４４】
また、「ａ１」の範囲の任意の文字（自由文字）として、連写機能によって撮影した順番を表す情報を付与する。例えば、“０００１”，“０００２”，“０００３”，・・・というように、連続撮影の順番を表す連続した番号を、ファイル名の１〜４桁目に付与する。これにより、同一のＤＣＦオブジェクトでも、撮影の順番を識別することができる。
【００４５】
しかし、ＤＣＦ規格には、１つのＤＣＦオブジェクト内には、主画像ファイルが１つのみでなければならないという規定が存在する。そのため、１つのＤＣＦオブジェクト内に、複数の主画像ファイルが存在している場合には、このＤＣＦオブジェクトは無視され、再生されないＤＣＦオブジェクトになってしまう。ＤＣＦ規格では、ＤＣＦオブジェクト内のファイルが主画像ファイルであるか否かは、それぞれのファイルに付与されている拡張子によって判断される。すなわち、画像ファイルとして有効な拡張子が付与されたファイルが、主画像ファイルと判断される。
【００４６】
そこで、「ｂ」の範囲の拡張子としては、１つの画像ファイルのみに、静止画像として有効な拡張子である“ＪＰＧ”を付与する。例えば、シャッタボタン７０を押下したタイミングに時間的に最も近いタイミングで撮影された撮影画像に応じた画像ファイルに、静止画像として有効な拡張子である“ＪＰＧ”を付与する。また、他の画像ファイルには、静止画像として無効な拡張子として、例えば、“ＪＰＸ”を付与する。これにより、同一のＤＣＦオブジェクト内の主画像ファイルは、有効な拡張子である“ＪＰＧ”が付与された１つの画像ファイルのみとなる。
【００４７】
なお、静止画像として有効な拡張子である“ＪＰＧ”を付与する画像ファイルは、上述したような、シャッタボタン７０を押下したタイミングに基づいて決定するのみではなく、他の方法で決定してもよい。
【００４８】
このように、デジタルカメラ１００では、１回のシャッタボタン７０の押下の操作に応じた連写機能によって撮影した複数の画像ファイルを、記録メディア５に記録することができる。また、デジタルカメラ１００によって記録された、同じファイル番号をもつ画像ファイルが複数存在するＤＣＦオブジェクトを含む記録メディア５を再生した場合でも、このＤＣＦオブジェクトが無視されることなく、有効な拡張子が付与されている１つの画像ファイルが再生される。
【００４９】
また、この記録メディア５内には、無効な拡張子“ＪＰＸ”が付与された画像ファイル（冗長画像ファイル）を保管し続けることができる。そして、無効な拡張子“ＪＰＸ”が付与された画像ファイルは、同一のＤＣＦオブジェクト内のファイルではあるが、画像ファイルとしては認識されず、再生されないファイルになる。つまり、ＤＣＦ規格においては、主画像ファイルでない無効な拡張子を持つファイルは無視するという規定になっているため、画像ファイルの再生処理に対して何も影響を与えない。また、ＤＣＦ規格においては、同じファイル番号を持つファイルは、拡張子には関係なく、１つのＤＣＦオブジェクトとして扱われるため、例えば、再生装置によるＤＣＦオブジェクトの複製や削除において、１つの塊として処理される。
【００５０】
ここで、１回のシャッタボタン７０の押下の操作によって、デジタルカメラ１００が連写機能で撮影した、連続する静止画像を記録メディア５に格納する場合について説明する。図５は、本第１の実施形態のデジタルカメラ１００における連続した画像ファイル記録の一例を模式的に示した図である。なお、図５に示した画像ファイル記録の一例における記録メディア５内のディレクトリの構成は、図３に示した記録メディア５内のディレクトリの構成と同様であるため、詳細な説明は省略する。
【００５１】
図５に示したように、記録メディア５には、図３に示した記録メディア５内のディレクトリの構成と同様のディレクトリが生成される。そして、圧縮回路３によって圧縮処理されたそれぞれの撮影画像に対応した画像ファイルは、同一のＤＣＦオブジェクトとするＤＣＦファイル名がそれぞれ付与されて、１つのＤＣＦオブジェクトとしてＤＣＦディレクトリ５２内に格納される。
【００５２】
図５に示した画像ファイル記録の一例では、シャッタボタン７０の押下に応じて撮影された撮影画像２１〜２８に対応した画像ファイル５３１〜５３８が、１つのＤＣＦオブジェクトとして、ＤＣＦディレクトリ５２内に格納される場合を示している。このとき、それぞれの画像ファイル５３１〜５３８には、図４に示した画像ファイルのファイル名の規則に従って、ＤＣＦ規格に基づいたＤＣＦファイル名が付与される。
【００５３】
より具体的には、シャッタボタン７０の押下に応じて撮影された撮影画像２４に対応した画像ファイル５３４のみに、静止画像として有効な拡張子である“ＪＰＧ”を付与され、その他の画像ファイル５３１〜５３３および画像ファイル５３５〜５３８に、静止画像として無効な拡張子である“ＪＰＸ”を付与される。また、任意の文字が、撮影画像２１〜２８に対応して撮影された順番を表す“０００１”〜“０００８”の連続した番号、ファイル番号が、１つのＤＣＦオブジェクトを表す“０００１”の数値のＤＣＦファイル名が付与される。
【００５４】
図５に示したようなＤＣＦファイル名が付与されたＤＣＦオブジェクトが記録メディア５に格納されている場合に、記録メディア５に格納されているＤＣＦオブジェクトを、ＤＣＦ規格に従って再生すると、静止画像として有効な拡張子“ＪＰＧ”を持つ画像ファイル５３４のみが再生され、例えば、表示パネル８に表示される。
【００５５】
すなわち、デジタルカメラ１００の連写機能によって撮影された冗長画像ファイルである、シャッタボタン７０を押下する数コマ前の画像ファイル５３１〜５３３と、シャッタボタン７０が押下された数コマ後の画像ファイル５３５〜５３８とは、記録メディア５に格納されているが、再生されない。
【００５６】
次に、デジタルカメラ１００の連写機能によって複数回の連続撮影を行った場合に、連続する静止画像を記録メディア５に格納する場合について説明する。図６は、本第１の実施形態のデジタルカメラ１００において複数回の連続撮影で記録された画像ファイル構成の一例を模式的に示した図である。なお、図６に示した画像ファイル構成の一例では、記録メディア５内の画像ファイルの構成のみを示している。また、記録メディア５内のディレクトリの構成は、図３および図５に示した記録メディア５内のディレクトリの構成と同様であるため、詳細な説明は省略する。
【００５７】
図６に示したように、デジタルカメラ１００によって複数回の連続撮影を行った場合、記録メディア５には、それぞれの連続撮影毎に、異なるＤＣＦオブジェクトが付与される。そして、同一のＤＣＦオブジェクトを持つ一連の画像ファイル群において、１つの画像ファイルのみに、静止画像として有効な拡張子である“ＪＰＧ”が付与されて格納される。
【００５８】
図６に示した画像ファイル構成の一例では、３回の連続撮影が行われ、ファイル番号“０００１”が付与されたＤＣＦオブジェクト５２１と、ファイル番号“０００２”が付与されたＤＣＦオブジェクト５２２と、ファイル番号“０００３”が付与されたＤＣＦオブジェクト５２３とが格納されている場合を示している。また、それぞれのＤＣＦオブジェクト５２１〜５２３において、シャッタボタン７０が押下されたときの画像ファイルＡ〜Ｃにのみ、静止画像として有効な拡張子である“ＪＰＧ”が付与され、その他の画像ファイルには、静止画像として無効な拡張子である“ＪＰＸ”が付与されている場合を示している。
【００５９】
図６に示したようなＤＣＦファイル名が付与されたＤＣＦオブジェクトが記録メディア５に格納されている場合に、記録メディア５に格納されているＤＣＦオブジェクトを、ＤＣＦ規格に従って再生すると、それぞれのＤＣＦオブジェクトにおいて、静止画像として有効な拡張子“ＪＰＧ”を持つ画像ファイルＡ、画像ファイルＢ、および画像ファイルＣのみが再生されて、例えば、表示パネル８に表示され、その他の画像ファイルは再生されない。
【００６０】
上記に述べたとおり、本第１の実施形態のデジタルカメラ１００では、連写機能によって連続撮影した全ての静止画像を、同一のＤＣＦオブジェクトとして記録メディア５に格納する。このとき、本第１の実施形態のデジタルカメラ１００では、連続撮影によって得られた一連の画像ファイル群、すなわち、同一のＤＣＦオブジェクトの内、１つの画像ファイルにのみ、静止画像として有効な拡張子を付与することができる。これにより、連続撮影によって得られた冗長画像ファイルを削除せずに隠蔽することができる。このことにより、記録メディア５に格納されているＤＣＦオブジェクトをＤＣＦ規格に従って再生する際に、それぞれのＤＣＦオブジェクトにおいて有効な拡張子が付与されている１つの画像ファイルのみを再生することができ、本第１の実施形態のデジタルカメラ１００のユーザは、煩雑な操作をすることなく、容易に再生された画像を確認することができる。
【００６１】
また、本第１の実施形態のデジタルカメラ１００では、ＤＣＦ規格においては任意の文字（自由文字）である範囲に、撮影した順番を表す情報をＤＣＦファイル名として付与する。これにより、連続して撮影された画像ファイルの連続性の情報も失うことなく、同一のＤＣＦオブジェクトにおける撮影の順番を識別することができる。
【００６２】
なお、本第１の実施形態のデジタルカメラ１００においては、静止画像として有効な拡張子を付与する画像ファイルは、シャッタボタン７０を押下したタイミングに時間的に最も近いタイミングの撮影によって得られた画像ファイルとしたが、有効な拡張子を付与する画像ファイルは、このタイミングの撮影によって得られた画像ファイルに限定されるものではない。例えば、連続撮影を開始して最初に得られた画像ファイルに有効な拡張子を付与することや、連続撮影を終了したときの最後の画像ファイルに有効な拡張子を付与することもできる。
【００６３】
＜第２の実施形態＞
次に、画像ファイルを再生する再生装置について説明する。図７は、本第２の実施形態による再生装置の概略構成を示したブロック図である。図７において、再生装置２００は、記録メディア５と、メディアＩ／Ｆ（インターフェース）４と、伸張回路３と、ＣＰＵ６と、操作回路７と、表示パネル８とから構成される。なお、図７においては、記録メディア５も再生装置２００の構成要素としているが、記録メディア５は、再生装置２００に着脱可能な記録媒体である。
【００６４】
なお、図７に示した再生装置２００の各構成要素の機能と同様の機能は、図１に示したデジタルカメラ１００の各構成要素においても、一般的に備えていることが多いと考えられる。このため、以下に説明する再生装置２００と同様の動作を、図１に示したデジタルカメラ１００も行うことができる。従って、図７に示した再生装置２００では、再生装置２００内の各構成要素に、デジタルカメラ１００内の対応する構成要素と同一の符号を付与している。これにより、以下に説明する再生装置２００と同様の動作を、デジタルカメラ１００でも同様に行えることを示す。
【００６５】
図７に示した再生装置２００では、ＤＣＦ規格に従って、記録メディア５に記録された画像ファイルの画像を表示パネル８に表示する。記録メディア５に記録されている画像ファイルは、ＪＰＥＧの画像フォーマットに圧縮処理されている画像データである。メディアＩ／Ｆ４は、記録メディア５に記録された画像ファイルを読み出し、伸張回路３に出力する。
【００６６】
伸張回路３は、メディアＩ／Ｆ４から入力されたＪＰＥＧの圧縮処理された画像ファイルに対して、ＪＰＥＧの伸張処理を行うことによって、表示パネル８に表示することができる表示用の画像データに戻す。そして、伸張回路３は、伸張処理を行った画像データを表示パネル８に出力する。なお、伸張回路３は、メディアＩ／Ｆ４から入力されたＪＰＥＧの圧縮処理された画像ファイルの拡張子が、静止画像として無効な拡張子である“ＪＰＸ”であっても、有効な拡張子“ＪＰＧ”と同義であると解釈して、ＪＰＥＧの伸張処理を行う。
【００６７】
表示パネル８は、画像データをユーザが視認できるようにするための、例えば、ＬＣＤなどの表示装置を備え、伸張回路３から入力された表示用の画像データを表示する。ＣＰＵ６は、再生装置２００の構成要素、すなわち、再生装置２００全体を制御する。
【００６８】
操作回路７は、再生装置２００のユーザによって操作されるボタンやスイッチ類などのユーザインタフェースである。操作回路７には、再生装置２００が表示する画像を選択するためのボタン類を備えている。
【００６９】
ここで、再生装置２００における画像データの表示と操作の方法について説明する。図８は、本第２の実施形態の再生装置２００における再生操作の一例を説明する図である。図８では、再生装置２００のユーザが画像データの確認および操作を行う操作パネルを示している。なお、図８は、操作を決定するための操作ボタン７１、上方向に操作するための操作ボタン７２、下方向に操作するための操作ボタン７３、左方向に操作するための操作ボタン７４、右方向に操作するための操作ボタン７５を操作パネルに備えた場合の一例を示している。
【００７０】
再生装置２００では、図８に示した操作パネルの表示パネル８に表示された画像データをユーザが確認する。また、ユーザは、操作回路７に備えられた操作ボタン７１〜７４を押下することによって、表示パネル８に表示されている画像データの操作を行う。これにより、ユーザは、記録メディア５に記録された任意の画像ファイルの画像を表示パネル８に表示させることができる。
【００７１】
次に、再生装置２００による画像ファイルの再生について説明する。図９は、本第２の実施形態の再生装置２００において再生する画像ファイルの一例を模式的に示した図である。図９に示した再生する画像ファイルの一例では、図６に示したような３つのＤＣＦオブジェクト（ＤＣＦオブジェクト５２１〜５２３）が格納されている記録メディア５を再生する場合の一例を示している。
【００７２】
なお、図９では、同一のＤＣＦオブジェクトとして、ファイル名の５〜８桁目に同一のファイル番号が付与された各画像ファイルを横方向に並べて示している。また、それぞれのＤＣＦオブジェクト内では、各画像ファイルを、撮影順、すなわち、ファイル名の１〜４桁目の番号が小さい画像ファイルから順に、左から右に並べて示している。つまり、同一のＤＣＦオブジェクト内の各画像ファイルは、左方向へ進むほど撮影タイミングがより早い画像の画像ファイルであり、右方向へ進むほど撮影タイミングが遅い画像の画像ファイルである。
【００７３】
また、各ＤＣＦオブジェクトは、連続撮影が行われた順、すなわち、ファイル名の５〜８桁目のファイル番号が小さいＤＣＦオブジェクトから順に、上から下に示している。つまり、各ＤＣＦオブジェクトは、上方向へ進むほど前の連続撮影におけるＤＣＦオブジェクトであり、下方向へ進むほど後の連続撮影におけるＤＣＦオブジェクトである。
【００７４】
なお、図９に示したように、同一のＤＣＦオブジェクト内で横方向に並べられた各画像ファイルの内、静止画像として有効な拡張子である“ＪＰＧ”が付与された画像ファイルは、それぞれのＤＣＦオブジェクト内に１つである。図９においては、画像ファイルＡ〜Ｃが、それぞれ有効な拡張子である“ＪＰＧ”が付与された画像ファイルである。その他の画像ファイルは、静止画像として無効な拡張子である“ＪＰＸ”が付与されている。
【００７５】
このような複数の画像ファイルが格納された記録メディア５を再生装置２００が再生すると、まず、メディアＩ／Ｆ４は、画像ファイルＡ、画像ファイルＢ、および画像ファイルＣを読み出し、伸張回路３に出力する。続いて、伸張回路３は、メディアＩ／Ｆ４から入力された画像ファイルＡ、画像ファイルＢ、および画像ファイルＣに対して、それぞれＪＰＥＧの伸張処理を行い、表示パネル８に表示することができるそれぞれの表示用の画像データに戻して、表示パネル８に出力する。このようにして、画像ファイルＡ、画像ファイルＢ、および画像ファイルＣの画像のみが、表示パネル８に表示される。なお、再生装置２００では、例えば、「画像ファイルＡ→画像ファイルＢ→画像ファイルＣ→画像ファイルＡ・・・」というように、それぞれの画像ファイルの画像を順次、表示パネル８に表示させることができる。
【００７６】
また、再生装置２００では、ユーザが操作ボタン７１〜７４を操作することによって、所望の画像ファイルの画像を表示パネル８に表示させることができる。図１０は、本第２の実施形態の再生装置２００において１つの画像ファイル再生している状態の一例を模式的に示した図である。また、図１１は、本第２の実施形態の再生装置２００において再生する画像ファイルを変更する場合の一例を模式的に示した図である。
【００７７】
再生装置２００において、ユーザが所望する画像ファイルを再生する場合、ユーザが操作ボタン７１〜７４を用いて再生している画像ファイルを変更する操作を行う。例えば、図１０に示したように、画像ファイルＢが再生されている状態のときに、ユーザが操作ボタン７３を押下すると、図１１に示したように、再生される画像ファイルが、画像ファイルＢから画像ファイルＣに移動（変更）される。このように、再生装置２００では、ユーザが上方向または下方向に操作（操作ボタン７２または操作ボタン７３の押下）することによって、異なる画像ファイル、すなわち、異なるファイル番号が付与されたＤＣＦオブジェクトの画像を表示パネル８に表示させることができる。このようにして、再生装置２００では、ユーザが所望の画像ファイルを再生することができる。
【００７８】
しかし、このままでは、静止画像として無効な拡張子である“ＪＰＸ”が付与されている画像ファイルを再生することができない。再生装置２００では、無効な拡張子である“ＪＰＸ”が付与されている画像ファイルを再生する場合、ユーザが左方向または右方向に操作、すなわち、操作ボタン７４または操作ボタン７５を押下することによって、無効な拡張子である“ＪＰＸ”が付与されている画像ファイルの画像を表示パネル８に表示させることができる。
【００７９】
図１２は、本第２の実施形態の再生装置２００において再生する画像ファイルを変更する場合の別の一例を模式的に示した図である。図１２では、画像ファイルＢが再生されている状態のときに、ユーザが操作ボタン７４を押下することによって、連続撮影された同一のＤＣＦオブジェクトにおいて、画像ファイルＢよりも前のタイミングで撮影された画像ファイルＤの画像を表示パネル８に表示させる場合の一例を示している。
【００８０】
再生装置２００は、操作ボタン７４または操作ボタン７５が押下され、無効な拡張子である“ＪＰＸ”が付与されている画像ファイルの再生が要求されると、まず、メディアＩ／Ｆ４は、要求された画像ファイルＤを読み出し、伸張回路３に出力する。続いて、伸張回路３では、メディアＩ／Ｆ４から入力された画像ファイルＤに付与されている無効な拡張子“ＪＰＸ”を、有効な拡張子“ＪＰＧ”と同義であると解釈して、画像ファイルＤに対して、ＪＰＥＧの伸張処理を行い、表示パネル８に表示することができる表示用の画像データに戻して、表示パネル８に出力する。これにより、無効な拡張子である“ＪＰＸ”が付与されている画像ファイルＤの画像が、表示パネル８に表示される。
【００８１】
また、画像ファイルＤの画像が表示パネル８に表示されている状態のときに、ユーザが操作ボタン７１を押下することによって、再生されている画像ファイルＤを有効な静止画像の画像データとして設定することができる。図１３は、本第２の実施形態の再生装置２００において再生されている画像ファイルを有効な画像ファイルに変更する場合の一例を模式的に示した図である。
【００８２】
再生装置２００は、操作ボタン７１が押下され、現在再生している画像ファイルＤが有効な画像ファイルとして指定されると、まず、メディアＩ／Ｆ４は、記録メディア５内の画像ファイルＤの拡張子を、静止画像として有効な拡張子である“ＪＰＧ”に変更（書き換え）する。続いて、メディアＩ／Ｆ４は、拡張子を変更した同一のＤＣＦオブジェクト内の画像ファイルの内、もともと有効な拡張子である“ＪＰＧ”が付与されていた画像ファイル（図１３においては、画像ファイルＢ）の拡張子を、静止画像として無効な拡張子である“ＪＰＸ”に変更（書き換え）する。このようにして、再生装置２００では、ユーザが所望の画像ファイルを有効な画像ファイルの変更することができる。
【００８３】
これにより、次に再生装置２００が、記録メディア５を再生するときには、画像ファイルＡ、画像ファイルＤ、および画像ファイルＣの画像のみが、表示パネル８に表示される。そして、例えば、再生装置２００が記録メディア５に格納されたそれぞれの画像ファイルの画像を順次、表示パネル８に表示させる場合には、「画像ファイルＡ→画像ファイルＤ→画像ファイルＣ→画像ファイルＡ・・・」というように、順次表示される。
【００８４】
また、再生装置２００では、拡張子の付け替えを行なうことによって、無効な画像ファイル（冗長画像ファイル）の中から選択した画像ファイルを、有効な画像ファイルに置き換えることができる。つまり、再生装置２００では、ユーザによって変更された有効な画像ファイルの状態を、記録メディア５に反映することができる。
【００８５】
ここで、再生装置２００によって変更された記録メディア５内の構成について説明する。図１４は、本第２の実施形態の再生装置２００において変更された画像ファイルの構成の一例を模式的に示した図である。図１４は、図６に示したような３つのＤＣＦオブジェクト（ＤＣＦオブジェクト５２１〜５２３）が格納されている記録メディア５における画像ファイルの構成が、再生装置２００によって変更された場合を示している。なお、図１４に示した画像ファイル構成の一例では、図６に示した画像ファイル構成の一例と同様に、記録メディア５内の画像ファイルの構成のみを示している。また、記録メディア５内のディレクトリの構成は、図３および図５に示した記録メディア５内のディレクトリの構成と同様であるため、詳細な説明は省略する。
【００８６】
記録メディア５に格納されているＤＣＦオブジェクト内の画像ファイルの拡張子を変更した場合、図６に示した画像ファイルの構成が、図１４に示した画像ファイルの構成のように変更される。より具体的には、図１４に示したＤＣＦオブジェクト５２２において、有効な画像ファイルとして指定された画像ファイルＤの拡張子が“ＪＰＧ”に変更（書き換え）され、もともと有効な拡張子である“ＪＰＧ”が付与されていた画像ファイルＢの拡張子が“ＪＰＸ”  に変更（書き換え）される。
【００８７】
このように、ＤＣＦオブジェクト内の画像ファイルの構成を変更することによって、画像ファイルの構成が変更された後の記録メディア５でも、ＤＣＦ規格に従った構成が維持される。より具体的には、同一のＤＣＦオブジェクトを持つ一連の画像ファイル群において、１つの画像ファイルのみに、静止画像として有効な拡張子である“ＪＰＧ”が付与されて格納され、他の画像ファイルには無効な拡張子である“ＪＰＸ”が付与されている状態が維持される。
【００８８】
上記に述べたとおり、本第２の実施形態による再生装置２００では、ユーザが操作ボタン７１〜７４を操作することによって、所望の画像ファイルの画像（ユーザが選択したシャッタチャンスとして好ましいベストショットの画像）を、表示パネル８に表示させることができる。すなわち、再生装置２００では、第１の実施形態のデジタルカメラ１００の連写機能による連続撮影した場合において、シャッタボタン７０が押下されたときの画像ファイルのみではなく、シャッタボタン７０を押下する前に撮影された画像ファイルや、シャッタボタン７０が押下された後に撮影された画像ファイルも再生することができる。
【００８９】
また、本第２の実施形態による再生装置２００では、ユーザが操作ボタン７１〜７４を操作することによって、ＤＣＦ規格に従った画像ファイルの構成を維持した状態で、記録メディア５内の有効な画像ファイルと無効な画像ファイル（冗長画像ファイル）とを入れ替えることができる。これにより、本第２の実施形態による再生装置２００では、ユーザが所望の画像ファイル（ベストショット）の画像を、常に、表示パネル８に表示させることができる。
【００９０】
また、本第２の実施形態による再生装置２００によって画像ファイルの構成が変更された後の記録メディア５は、ＤＣＦ規格に従った構成を維持している。このため、例えば、画像ファイルの構成が変更された後の記録メディア５を、ＤＣＦ規格に従った他の再生装置で再生した場合においても、有効な拡張子が付与された画像ファイル、すなわち、ユーザが所望する画像ファイル（ベストショット）の画像のみを再生させることができる。
【００９１】
上記に述べたとおり、本発明を実施するための最良の形態によれば、連続撮影によって記録された複数の画像ファイルに同一のファイル番号を付与することによって、ＤＣＦ規格に従った構成を維持しつつ、同一のＤＣＦオブジェクトとして扱われるようにする。これにより、同一のＤＣＦオブジェクトを持つ一連の画像ファイル群を常に１コマとして扱い、高速連写によって得られた大量の画像ファイルの管理を容易にすることができる。
【００９２】
また、本発明を実施するための最良の形態によれば、ＤＣＦ規格に従った構成を維持しつつ、同一のＤＣＦオブジェクト内の複数の画像ファイルの内、１つの画像ファイルのみを有効な画像ファイルとし、その他の画像ファイルを無効な画像ファイルとする。これにより、連続撮影によって得られた画像ファイルを再生する際に、冗長な画像ファイルを確実に隠蔽することができる。
【００９３】
また、本発明を実施するための最良の形態によれば、ＤＣＦ規格に従った構成を維持しつつ、無効な画像ファイルと有効な画像ファイルとを入れ替えることができる。また、無効な画像ファイルと有効な画像ファイルとを入れ替えは、連続撮影が終了した後でも行うことができる。これにより、現在の有効な画像ファイルが、ユーザが意図したシャッタチャンスから外れてしまっている場合でも、無効な画像ファイルの中にシャッタチャンスに近いものがあれば、より意図したシャッタチャンスに近いタイミングで撮影された画像ファイルを、有効な画像ファイルに容易に変更することができる。
【００９４】
また、本発明を実施するための最良の形態によれば、記録されている画像ファイルは、ＤＣＦ規格に従った構成であるため、すでに出荷されているＤＣＦ規格に従った機器でも、記録されている画像ファイルを同様に再生することができる。また、ＤＣＦ規格に基づいた表示、複製、削除などの操作を、容易に行うことができる。
【００９５】
なお、本実施形態においては、静止画像として無効な拡張子を“ＪＰＸ”とした場合について説明したが、静止画像として無効な拡張子は、本発明を実施するための形態に限定されるものではなく、一般的に使用されているファイル（静止画像、動画像、およびその他のファイル）に使用される拡張子と異なる拡張子であれば、どのような拡張子であっても、静止画像として無効な拡張子として使用することができる。ただし、この場合には、静止画像として無効な拡張子としてどのような拡張子を使用しているかの情報を、撮像装置と再生装置との間で共有している必要がある。
【００９６】
また、本実施形態においては、ＤＣＦ規格におけるＤＣＦファイル名の規則に従って、画像ファイルのファイル名を付与したが、さらに、ＭＳ−ＤＯＳ（登録商標）におけるファイル属性である「隠し属性」を併せて付加する構成にすることもできる。例えば、有効な拡張子である“ＪＰＧ”が付与されている画像ファイルには「隠し属性」を付加せず、無効な拡張子である“ＪＰＸ”が付与されている画像ファイルに「隠し属性」を付加する。そして、画像ファイルの拡張子を変更（書き換え）する際に、同時に「隠し属性」も変更する。すなわち、ユーザによって有効な画像ファイルとして指定され、静止画像として有効な拡張子である“ＪＰＧ”に変更（書き換え）された画像ファイルに付加している「隠し属性」を削除し、もともと有効な拡張子である“ＪＰＧ”が付与されていたが静止画像として無効な拡張子である“ＪＰＸ”  に変更（書き換え）された画像ファイルに「隠し属性」を付加する。これにより、例えば、記録メディア５に格納されている画像ファイルを、パーソナルコンピュータで確認する際に、容易に有効な画像ファイルを確認できる可能性が高くなる。
【００９７】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【００９８】
１００・・・デジタルカメラ（撮像装置，再生装置）
２００・・・再生装置
１・・・撮像素子
２・・・画像処理回路
３・・・圧縮回路，伸張回路
４・・・メディアＩ／Ｆ（ファイル番号付与部，拡張子変更部）
５・・・記録メディア
６・・・ＣＰＵ
７・・・操作回路
７０・・・シャッタボタン
７１，７２，７３，７４・・・操作ボタン
８・・・表示パネル
【図１】
2012235349.tif 000003
【図２】
2012235349.tif 000004
【図３】
2012235349.tif 000005
【図４】
2012235349.tif 000006
【図５】
2012235349.tif 000007
【図６】
2012235349.tif 000008
【図７】
2012235349.tif 000009
【図８】
2012235349.tif 000010
【図９】
2012235349.tif 000011
【図１０】
2012235349.tif 000012
【図１１】
2012235349.tif 000013
【図１２】
2012235349.tif 000014
【図１３】
2012235349.tif 000015
【図１４】
2012235349.tif 000016